(57)【特許請求の範囲】
【請求項１】
目標階調データと開始階調データとに基づくオーバードライブ用の階調データが格納されているルックアップテーブルを使用し、該ルックアップテーブルに格納されている階調データを用いて液晶表示装置にオーバードライブを行う駆動方法において、
前記液晶表示装置の表示エリア外にダミー液晶セルを設けておき、前記液晶表示装置と同じ駆動電圧を印加した際に前記液晶表示装置に内蔵されたセンサにて計測した前記ダミー液晶セルの容量と該容量に対応する階調データとの対応テーブルをあらかじめ作成しておき、オーバードライブを行う場合に前記センサにて計測された容量のデータを前記対応テーブルにより階調データに変換することにより、前記ルックアップテーブルの階調データを補正することとし、液晶画素の駆動における最低電圧値の階調から最高電圧値の階調への計測される液晶応答時間に１以下の一定の係数を乗じてオーバードライブを行うフレーム数を決めることを特徴とする液晶表示装置の駆動方法。
【請求項２】
前記センサは、前記ダミー液晶セルの容量を計測する液晶容量センサであることを特徴とする請求項１に記載の液晶表示装置の駆動方法。
【請求項３】
目標階調データと開始階調データとに基づくオーバードライブ用の階調データが格納されているルックアップテーブルを使用し、該ルックアップテーブルに格納されている階調データを用いて液晶表示装置にオーバードライブを行うオーバードライブ補正装置において、
前記液晶表示装置の表示エリア外に設けられたダミー液晶セルと、
該ダミー液晶セルの容量を計測するセンサと、
前記液晶表示装置と同じ駆動電圧を印加した際に前記センサにて計測した前記ダミー液晶セルの容量と該容量に対応する階調データとの対応テーブルをあらかじめ作成しておき、オーバードライブを行う場合に前記センサにて計測された容量のデータを前記対応テーブルにより階調データに変換することにより、前記ルックアップテーブルの階調データを補正する補正手段と
を備えており、
液晶画素の駆動における最低電圧値の階調から最高電圧値の階調への計測される液晶応答時間に１以下の一定の係数を乗じてオーバードライブを行うフレーム数を決めるように構成してあることを特徴とするオーバードライブ補正装置。
【請求項４】
オーバードライブを行う際に階調データに対応する階調電圧を印加した場合に達成すると予測され、目標階調データと比較される予測階調データを格納する予測ルックアップテーブルを更に備えており、前記補正手段は、オーバードライブを行う場合に前記センサにて計測された容量のデータを前記対応テーブルにより階調データに変換することにより、前記予測ルックアップテーブルのデータ補正を行うように構成してあることを特徴とする請求項３に記載のオーバードライブ補正装置。
【請求項５】
前記センサは、前記ダミー液晶セルの容量を計測する液晶容量センサであることを特徴とする請求項３または４に記載のオーバードライブ補正装置。
【請求項６】
前記液晶容量センサは、ポリシリコンＴＦＴ回路により前記液晶表示装置のガラス上に形成されていることを特徴とする請求項５に記載のオーバードライブ補正装置。
【請求項７】
請求項３ないし６のいずれかに記載のオーバードライブ補正装置での補正用のデータを作成する方法であって、
前記ダミー液晶セルの階調電圧を最低電圧値から最高電圧値へ変化させた際の液晶応答時間に基づいてオーバードライブの時間を決定するステップと、
前記ダミー液晶セルに印加する階調電圧を最高電圧値から低い電圧にむかって順次変更しながら前記対応テーブルを作成するステップと、
前記補正手段により前記ルックアップテーブルのデータ補正を行うステップと
を有することを特徴とするオーバードライブ補正装置のデータ作成方法。
【請求項８】
前記補正手段により前記予測ルックアップテーブルのデータ補正を行うステップを更に有することを特徴とする請求項７に記載のオーバードライブ補正装置のデータ作成方法。
【請求項９】
請求項３ないし６のいずれかに記載のオーバードライブ補正装置により駆動されるように構成してあることを特徴とする液晶表示装置。
【請求項１０】
請求項９に記載の液晶表示装置を備える電子装置であって、携帯電話、デジタルカメラ、ＰＤＡ（パーソナルデジタルアシスタント）、自動車用ディスプレイ、航空用ディスプレイ、デジタルフォトフレーム、及びポータブルＤＶＤプレーヤからなる群から選択されたものであることを特徴とする電子装置。
【発明の詳細な説明】
【技術分野】
【０００１】
本発明は、ルックアップテーブルを用いて液晶表示装置にオーバードライブを行う液晶表示装置の駆動方法及びオーバードライブ補正装置、該オーバードライブ補正装置におけるデータ作成方法、オーバードライブ補正装置により駆動される液晶表示装置、並びに、該液晶表示装置を備える電子装置に関する。
【背景技術】
【０００２】
液晶表示装置において、印加される信号電圧の変化に対する液晶の応答速度は一般的に速くない。このため、液晶表示画面において画像を変更する際、残像が発生したり現在の画像が続いてしまうという問題が生じる。そこで、輝度応答時間を短縮して、これらの問題を解決する方法として、オーバードライブ（ＯＤ）が行われている。オーバードライブとは、表示する画像の輝度に対応する階調データより高い電圧を印加することにより、液晶の応答速度を加速する駆動方法である。
【０００３】
図５は従来例のオーバードライブの原理を示す図であり、横軸は黒階調から明るい階調へ移行するのに要する時間（フレーム数）、縦軸は液晶ディスプレイの階調レベルを表している。ここで１フレームとは、６０Ｈｚ液晶駆動回路において、６０分の１秒、すなわち約１６．７ミリ秒の区間である。
【０００４】
例えば、図５（ａ）に示すように、目標１の階調レベルに到達させようとする場合、目標１の信号電圧を印加し続けたときには１０フレームを要する。これに対して、オーバードライブにより、ＯＤ１の信号電圧を印加すれば、５フレームで目標１の階調レベルに到達させることができ、その後目標１の信号電圧に切り替えれば応答時間を短縮することができる（図５（ｂ）参照）。同様に、図５（ａ）に示すように、目標２の階調レベルに到達させようとする場合、目標２の信号電圧を印加し続けたときには７フレームを要するが、オーバードライブにより、ＯＤ２の信号電圧を印加すれば、５フレームで目標２の階調レベルに到達させることができて応答時間を５フレームに短縮することが可能となる（図５（ｂ）参照）。
【０００５】
このようなオーバードライブにおいて印加される信号電圧は、ルックアップテーブルを使用することにより決められている。ルックアップテーブルにおいては、あらかじめ予測された現在の階調データ（開始階調データ）と画像入力データ（目標階調データ）との関係に基づいて、適切なオーバードライブの信号電圧に対応する階調データが記憶されている。従来のルックアップテーブルのデータは、製品の製造の前段階において計測されたデータに基づいて定められている。
【０００６】
したがって、液晶表示装置の製造段階においてセルギャップのばらつきなどが発生したり、液晶表示装置の使用時に急激な温度変化を受けた場合に、製造前に設定されたルックアップテーブルのデータに基づいて行われるオーバードライブでは適切に駆動できないという問題が生じる。これにより、例えばオーバーシュートという画質劣化が生じる。これを回避するために、ルックアップテーブルのデータは緩和されて設定せざるを得ず、オーバードライブによる応答速度の短縮を最適化することはできなかった。
【０００７】
そこで、特許文献１には、図６に示すような構成をなす液晶パネル駆動装置が提案されている。この液晶パネル駆動装置は、フレームメモリ６１とルックアップテーブル６２とを用いてＬＣＤモジュール６４にオーバードライブを行うこととし、ルックアップテーブル６２を温度に対応させて複数種類（ＬＵＴ１，ＬＵＴ２など）設け、ＬＣＤモジュール６４の周囲温度を計測する温度センサ６５の計測結果に基づいて、これらの複数種類のルックアップテーブル６２を選択回路６３にて選択的に切り替えることを特徴としている。
【特許文献１】特開２００４−１３３１５９号公報
【発明の開示】
【発明が解決しようとする課題】
【０００８】
しかしながら、特許文献１の駆動装置では、複数種類のルックアップテーブルを用意しなければならず、メモリの数が増えてコスト高になるという問題がある。また、特定された複数の温度には対応できても、それらの特定温度間の温度、及び製造工程のばらつきなどの温度以外の要因には対応できず、最適なオーバードライブの電圧設定を行えないという問題もある。
【０００９】
本発明は斯かる事情に鑑みてなされたものであり、メモリ数を増やすことなく、如何なる温度環境においても対応でき、また温度以外の要因にも対応可能であって、適切なオーバードライブを行える液晶表示装置の駆動方法及びオーバードライブ補正装置、オーバードライブ補正装置におけるデータ作成方法、オーバードライブ補正装置により駆動される液晶表示装置、並びに、該液晶表示装置を備える電子装置を提供することを目的とする。
【課題を解決するための手段】
【００１０】
本発明に係る液晶表示装置の駆動方法は、目標階調データと開始階調データとに基づくオーバードライブ用の階調データが格納されているルックアップテーブルを使用し、該ルックアップテーブルに格納されている階調データを用いて液晶表示装置にオーバードライブを行う駆動方法において、前記液晶表示装置の表示エリア外にダミー液晶セルを設けておき、前記液晶表示装置と同じ駆動電圧を印加した際に前記液晶表示装置に内蔵されたセンサにて計測した前記ダミー液晶セルの容量と該容量に対応する階調データとの対応テーブルをあらかじめ作成しておき、オーバードライブを行う場合に前記センサにて計測された容量のデータを前記対応テーブルにより階調データに変換することにより、前記ルックアップテーブルの階調データを補正することとし、液晶画素の駆動における最低電圧値の階調から最高電圧値の階調への計測される液晶応答時間に１以下の一定の係数を乗じてオーバードライブを行うフレーム数を決めることを特徴とする。
【００１１】
本発明の液晶表示装置の駆動方法にあっては、液晶表示装置の表示エリア外に設けられたダミー液晶セルの容量に基づいて、リアルタイムでオーバードライブのためのルックアップテーブルの階調データを補正する。よって、周囲環境に応じてルックアップテーブルの階調データが最適な値に補正されるため、如何なる環境変化が生じても最適なオーバードライブを行えて、液晶表示装置の応答速度を最大化でき、応答時間の短縮化を図れる。また、液晶画素の駆動における最低電圧値の階調から最高電圧値の階調への液晶応答時間（応答に必要なフレーム数）に１以下の一定の係数を乗じてオーバードライブの最適な駆動時間（駆動が必要なフレーム数）を決める。よって、最適なオーバードライブを行えて、液晶表示装置の応答時間の短縮化を図れる。
【００１４】
本発明に係る液晶表示装置の駆動方法は、前記センサが、前記ダミー液晶セルの容量を計測する液晶容量センサであることを特徴とする。
【００１５】
本発明の液晶表示装置の駆動方法にあっては、センサとしてダミー液晶セルの容量を計測する液晶容量センサを使用する。あらかじめ液晶容量センサにより計測されたダミー液晶セルの容量と該容量に対応する階調データとの対応テーブルを作成しておき、対応テーブルに基づきルックアップテーブルの階調データを決めることができる。
【００１６】
本発明に係るオーバードライブ補正装置は、目標階調データと開始階調データとに基づくオーバードライブ用の階調データが格納されているルックアップテーブルを使用し、該ルックアップテーブルに格納されている階調データを用いて液晶表示装置にオーバードライブを行うオーバードライブ補正装置において、前記液晶表示装置の表示エリア外に設けられたダミー液晶セルと、該ダミー液晶セルの容量を計測するセンサと、前記液晶表示装置と同じ駆動電圧を印加した際に前記センサにて計測した前記ダミー液晶セルの容量と該容量に対応する階調データとの対応テーブルをあらかじめ作成しておき、オーバードライブを行う場合に前記センサにて計測された容量のデータを前記対応テーブルにより階調データに変換することにより、前記ルックアップテーブルの階調データを補正する補正手段とを備えており、液晶画素の駆動における最低電圧値の階調から最高電圧値の階調への計測される液晶応答時間に１以下の一定の係数を乗じてオーバードライブを行うフレーム数を決めるように構成してあることを特徴とする。
【００１７】
本発明のオーバードライブ補正装置にあっては、オーバードライブ用のルックアップテーブル、ダミー液晶セル、ダミー液晶セルの容量を検知するセンサ、及び、ルックアップテーブルを補正する補正手段を備えており、補正手段は、センサの検知結果に基づいてルックアップテーブルの階調データを補正する。ルックアップテーブルの階調データを、液晶表示装置の表示エリア外に設けたダミー液晶セルの容量に関するセンサの検知結果に基づいて決める。よって、液晶表示装置の環境特性に基づいた適正な階調データにルックアップテーブルが補正されるため、最適なオーバードライブを行えて、液晶表示装置の応答速度を最大化でき、応答時間の短縮化を図れる。また、液晶画素の駆動における最低電圧値の階調から最高電圧値の階調への液晶応答時間（応答に必要なフレーム数）に１以下の一定の係数を乗じてオーバードライブの最適な駆動時間（駆動が必要なフレーム数）を決める。よって、最適なオーバードライブを行えて、液晶表示装置の応答時間の短縮化を図れる。
【００１８】
本発明に係るオーバードライブ補正装置は、オーバードライブを行う際に階調データに対応する階調電圧を印加した場合に達成すると予測され、目標階調データと比較される予測階調データを格納する予測ルックアップテーブルを更に備えており、前記補正手段は、オーバードライブを行う場合に前記センサにて計測された容量のデータを前記対応テーブルにより階調データに変換することにより、前記予測ルックアップテーブルのデータ補正を行うように構成してあることを特徴とする。
【００１９】
本発明のオーバードライブ補正装置にあっては、予測ルックアップテーブルをさらに備えており、補正手段は、センサの検知結果に基づいて予測ルックアップテーブルのデータ補正を行う。よって、より広い温度範囲での最適なオーバードライブを行える。
【００２０】
本発明に係るオーバードライブ補正装置は、前記センサが、前記ダミー液晶セルの容量を計測する液晶容量センサであることを特徴とする。
【００２１】
本発明のオーバードライブ補正装置にあっては、センサとしてダミー液晶セルの容量を計測する液晶容量センサを使用する。あらかじめ液晶容量センサにより計測されたダミー液晶セルの容量と該容量に対応する階調データとの対応テーブルを作成しておき、対応テーブルに基づきルックアップテーブルの階調データを決めることができる。
【００２２】
本発明に係るオーバードライブ補正装置は、前記液晶容量センサが、ポリシリコンＴＦＴ回路により前記液晶表示装置のガラス上に形成されていることを特徴とする。
【００２３】
本発明のオーバードライブ補正装置にあっては、低温ポリシリコン（ＬＴＰＳ）製造プロセスにより、液晶容量センサを形成するため、低コストでの形成が可能である。
【００２８】
本発明に係るオーバードライブ補正装置のデータ作成方法は、上記オーバードライブ補正装置での補正用のデータを作成する方法であって、前記ダミー液晶セルの階調電圧を最低電圧値から最高電圧値へ変化させた際の液晶応答時間に基づいてオーバードライブの時間を決定するステップと、前記ダミー液晶セルに印加する階調電圧を最高電圧値から低い電圧にむかって順次変更しながら前記対応テーブルを作成するステップと、前記補正手段により前記ルックアップテーブルのデータ補正を行うステップとを有することを特徴とする。
【００２９】
本発明のオーバードライブ補正装置のデータ作成方法にあっては、ダミー液晶セルの階調電圧を最低電圧値から最高電圧値へ変化させた際の液晶応答時間（応答に必要なフレーム数）に基づいてオーバードライブの最適な駆動時間（駆動が必要なフレーム数）を決定し、ダミー液晶セルに印加する階調電圧を最高電圧値から低い電圧にむかって順次変更しながら対応テーブルを作成し、補正手段によりルックアップテーブルのデータの補正を行う。よって、最適なオーバードライブを行えて、液晶表示装置の応答時間の短縮化を図れる。
【００３０】
本発明に係るオーバードライブ補正装置のデータ作成方法は、前記補正手段により前記予測ルックアップテーブルのデータ補正を行うステップを更に有することを特徴とする。      
【００３１】
本発明のオーバードライブ補正装置のデータ作成方法にあっては、補正手段により予測ルックアップテーブルのデータの補正を行う。よって、より広い温度範囲での最適なオーバードライブを行える。
【００３２】
本発明に係る液晶表示装置は、上記のオーバードライブ補正装置により駆動されるように構成してあることを特徴とする。
【００３３】
本発明の液晶表示装置にあっては、上述したオーバードライブ補正装置を使用している。よって、最適なオーバードライブがなされるので、応答時間は短くなり、残像現象は低減する。
【００３４】
本発明に係る電子装置は、上記の液晶表示装置を備える電子装置であって、携帯電話、デジタルカメラ、ＰＤＡ（パーソナルデジタルアシスタント）、自動車用ディスプレイ、航空用ディスプレイ、デジタルフォトフレーム、及びポータブルＤＶＤプレーヤからなる群から選択されたものであることを特徴とする。
【００３５】
本発明の電子装置にあっては、上述した液晶表示装置を備えているため、残像現象が少ない動画表示を実現できる。
【発明の効果】
【００３６】
本発明では、液晶表示装置の表示エリア外に設けられたダミー液晶セルの容量に基づいて、オーバードライブのためのルックアップテーブルの階調データを補正するようにしたので、周囲環境に応じてルックアップテーブルの階調データを最適な値に補正することができ、どのような環境変化が生じても最適なオーバードライブを行えて、液晶表示装置の応答速度を最大化でき、応答時間の大幅な短縮化を図ることができる。
【発明を実施するための最良の形態】
【００３７】
以下、本発明をその実施の形態を示す図面を参照して具体的に説明する。なお、本発明は、以下の実施の形態に限定されるものではない。
【００３８】
図１は本発明におけるオーバードライブの原理を示す図であり、横軸は、黒階調から明るい階調へ移行するのに要する時間（フレーム数）、縦軸は液晶ディスプレイの階調レベルを表している。ここで１フレームとは、６０Ｈｚ液晶駆動回路において、６０分の１秒、すなわち約１６．７ミリ秒の区間である。
【００３９】
図１（ａ）において、実線ア、実線イ、実線ウはそれぞれ、目標１の信号電圧を印加し続けたときの階調レベルの変化、目標２の信号電圧を印加し続けたときの階調レベルの変化、白表示用の信号電圧を印加し続けたときの階調レベルの変化を示している。背景技術でも説明したように、目標１、目標２の階調レベルにそれぞれ到達させようとする場合、目標１、目標２の信号電圧を印加し続けたときには、それぞれ１０フレーム、７フレームを要する。これに対して、白表示用の信号電圧を印加し続けたときには、それぞれ２フレーム、３フレームで目標１、目標２の階調レベルに到達することが分かる。
【００４０】
本発明では、一定のフレームごとにフィードバックされた予測階調データによりオーバードライブの階調データを変える。即ち、図１（ｂ）に示すように、目標１の階調レベルに到達させようとする場合、白表示用の信号電圧を印加すれば２フレームで目標１の階調レベルに到達することができ、その後目標１の信号電圧に切り替えれば応答時間を１０フレームから２フレームに短縮することができる（図１（ｂ）の実線エ）。また、同様に、図１（ｂ）に示すように、目標２の階調レベルに到達させようとする場合、白表示用の信号電圧を印加すれば３フレームで目標２の階調レベルに到達することができ、その後目標２の信号電圧に切り替えれば応答時間を７フレームから３フレームに短縮することができる（図１（ｂ）の破線オ）。
【００４１】
ここで、予測階調データとオーバードライブ階調データとは、後述するオーバードライブ補正装置によってリアルタイムに計測されて更新されたものを用いる。これによって、広い温度範囲、製造工程のばらつきに対応して最適なオーバードライブを行うことができ、応答時間を短縮することができる。  
【００４２】
図２は、本発明のオーバードライブ補正装置の構成を示す図である。図２において、２１は液晶表示装置（ＬＣＤ）である。オーバードライブ補正装置は、液晶表示装置２１に内蔵されているダミー液晶セル２２及び液晶容量センサ２３と、ダミーセル／センサ制御回路２４と、ルックアップテーブル（ＬＵＴ）計算回路２５と、オーバードライブルックアップテーブル２６と、予測ルックアップテーブル２７と、オーバードライブ（ＯＤ）回路２８とを備えている。
【００４３】
ダミー液晶セル２２は、液晶表示装置２１の表示エリア外に設けられており、液晶表示装置２１と同じ駆動電圧が印加される。液晶容量センサ２３は、低温ポリシリコン（ＬＴＰＳ）製造プロセスにより、ポリシリコンＴＦＴ回路にを用いて液晶表示装置２１のガラス上に形成されている。よって、低コストでの形成が可能である。液晶容量センサ２３は、ダミー液晶セル２２の容量（誘電率）を計測し、その計測結果をダミーセル／センサ制御回路２４へ出力する。
【００４４】
液晶容量センサ２３における計測結果（計測されたダミー液晶セル２２の容量）はダミーセル／センサ制御回路２４を介してルックアップテーブル計算回路２５に入力され、この計測結果に基づいてオーバードライブルックアップテーブル２６及び予測ルックアップテーブル２７のデータが補正される。オーバードライブ回路２８は、リアルタイムに補正された最新のオーバードライブルックアップテーブル２６と最新の予測ルックアップテーブル２７とを参照して、液晶表示装置２１にオーバードライブを実行する。
【００４５】
このようにして、ダミー液晶セル２２におけるリアルタイムの容量変化をルックアップテーブル２６，２７のデータに反映することができ、リアルタイムで最適なオーバードライブを行うことを可能にする。なお、予測ルックアップテーブル２７はオーバードライブの回路構成によっては必ずしも必須ではないが、広い温度範囲での最適なオーバードライブを行うためには構成に含めることが好ましい。
【００４６】
図３は、本発明のオーバードライブ駆動回路の実施態様のブロック図である。オーバードライブルックアップテーブル３１は、第１フレームメモリ３３から入力された目標階調データｄn と第２フレームメモリ３４から入力された予測階調データｄ′n-1 とを比較して、目標階調データｄn を達成するために最適なオーバードライブ信号レベルｄODを液晶表示装置２１に出力する。
【００４７】
予測ルックアップテーブル３２は、第１フレームメモリ３３から入力された目標階調データｄn と第２フレームメモリ３４から入力された予測階調データｄ′n-1 とを比較して、次に到達する予測階調データｄ′n を生成する。生成された予測階調データｄ′n は第２フレームメモリ３４にフィードバック入力される。そして、第２フレームメモリ３４は、次のタイミングで十分に目標の階調レベルに到達する場合、すなわち、オーバードライブ信号レベルｄODが０または２５５でない場合は、目標の階調データｄn を予測階調データｄ′n として出力し、十分でない場合、すなわちオーバードライブ信号レベルｄODが０または２５５である場合は、あらかじめ測定によって求められた到達階調データを予測階調データｄ′n として出力する。
【００４８】
この図３で示されるオーバードライブ駆動回路におけるオーバードライブルックアップテーブル３１と予測ルックアップテーブル３２とのテーブル内のデータを液晶容量センサ２３での計測結果に基づいて補正する装置が、図２に構成を示したオーバードライブ補正装置である。
【００４９】
本発明のオーバードライブ補正装置において、オーバードライブ回路２８は、液晶駆動における最低電圧値（例えば黒階調）から最高電圧値（例えば白階調）への液晶応答時間（フレーム数）に、１以下の一定の係数を乗じてオーバードライブの最適な時間（フレーム数）を連続的に決めることができる。例えば、−３０℃において、ある液晶モードにおける黒階調データから開始して白階調データに到達するためには１００フレームを要する。この場合、例えば、係数をｋ＝０．０３とすれば、フレーム数を３と決めることができる。なお、係数を乗じてフレーム数が１以下と計算される場合は、オーバードライブフレーム数を１とすれば良い。
【００５０】
本発明のオーバードライブ補正装置は、あらかじめ液晶容量センサ２３により計測されたダミー液晶セル２２の容量と該容量に対応する階調データとの対応テーブルを有することができる。これによって、液晶容量センサ２３により計測された容量のデータは対応テーブルにより階調データに変換されて、ダミーセル／センサ制御回路２４を介してルックアップテーブル計算回路２５に入力され、オーバードライブルックアップテーブル２６及び予測ルックアップテーブル２７のデータを補正することができる。
【００５１】
図４は、ダミー液晶セル２２の時間（フレーム数）に対する階調データ変化の関係を示す図である。本発明のオーバードライブ補正装置のデータ作成においては、図４におけるＡの段階、すなわち、液晶表示装置２１での液晶の階調電圧が最低電圧値から最高電圧値へ移行する際の液晶応答時間（フレーム数）及びオーバードライブフレーム数を計測し、図４におけるＢの段階、すなわちダミー液晶セル２２に印加する階調電圧を最高電圧値から低い電圧にむかって順次変更しながら、ダミー液晶セル２２の容量と該容量に対応する階調データとの対応テーブルを作成する。
【００５２】
また、図示していない複数回の計測（あるグレー階調から別のグレー階調への階調変化）の値に基づいて、ルックアップテーブル計算回路２５によりオーバードライブルックアップテーブル２６のデータ及び予測ルックアップテーブル２７のデータの補正を行う。
【００５３】
容量と該容量に対応する階調データとの対応テーブルを作成する場合、最低電圧から高い電圧に向かって順次対応テーブルを作成すると、液晶の特性により応答時間が非常に長く、テーブル作成に長時間（例えば−３０℃では１７秒）を要する。これに対して本発明の方法では、応答時間が短く、テーブル作成を短時間（例えば−３０℃では８．５秒）で行うことができる。また、オーバードライブルックアップテーブル２６及び予測ルックアップテーブル２７のデータ補正のための計測ステップにおいても、複数回の計測の順序を最適化することにより、全体の計測時間を短縮することが可能である。
【００５４】
なお、上述した実施の形態では、センサとして液晶容量センサを用いる場合について説明したが、光センサを使用するようにしても良い。光センサを使用する場合は、液晶表示装置２１における液晶セルの偏向板の外側に光センサを設置して、液晶セルを透過する光の輝度を光センサにて計測し、その計測結果に基づいてオーバードライブルックアップテーブル２６及び予測ルックアップテーブル２７の階調データを決めることができる。
【００５５】
本発明のオーバードライブ補正装置を有する液晶表示装置は、携帯電話、デジタルカメラ、ＰＤＡ（パーソナルデジタルアシスタント）、自動車用ディスプレイ、航空用ディスプレイ、デジタルフォトフレーム、またはポータブルＤＶＤプレーヤなどの電子装置に使用することができる。
【図面の簡単な説明】
【００５６】
【図１】本発明におけるオーバードライブの原理を示す図である。
【図２】本発明のオーバードライブ補正装置の構成を示す図である。
【図３】本発明のオーバードライブ駆動回路の実施態様のブロック図である。
【図４】ダミー液晶セルの時間（フレーム数）に対する階調データ変化の関係を示す図である。
【図５】従来例のオーバードライブの原理を示す図である。
【図６】従来の液晶パネル駆動装置の構成を示す図である。
【符号の説明】
【００５７】
２１  液晶表示装置（ＬＣＤ）
２２  ダミー液晶セル
２３  液晶容量センサ
２４  ダミーセル／センサ制御回路
２５  ルックアップテーブル計算回路（補正手段）
２６，３１  オーバードライブルックアップテーブル
２７，３２  予測ルックアップテーブル
２８  オーバードライブ回路
３３  第１フレームメモリ
３４  第２フレームメモリ
【図１】
0004779167.tif 000002
【図２】
0004779167.tif 000003
【図３】
0004779167.tif 000004
【図４】
0004779167.tif 000005
【図５】
0004779167.tif 000006
【図６】
0004779167.tif 000007